(57)【特許請求の範囲】
【請求項１】
ソケット本体と、このソケット本体内に設けられてランプ口金のランプピンに接触する導電部材を有し、前記ランプピンを前記ソケット本体に挿入しかつ一方向に回動することによって前記ランプ口金が前記ソケット本体に保持されるとともに前記ランプピンが前記導電部材に接触するようにしたランプソケットであって、前記ランプピンを前記ソケット本体に挿入したときに、前記ランプピンの少なくとも１本を仮保持する保持手段を有するとともに少なくとも他の１本が前記導電部材と非接触となるように構成したことを特徴とするランプソケット。
【請求項２】
前記保持手段は、前記ランプ口金の回転軸に対して対称に配置された一対の導電部材である請求項１記載のランプソケット。
【請求項３】
前記導電部材は前記ランプピンを挟み込んで保持する請求項２記載のランプソケット。
【請求項４】
請求項１、請求項２または請求項３記載のランプソケットを用いた照明器具。
【発明の詳細な説明】
【０００１】
【発明の属する技術分野】
この発明は、ランプソケットおよび照明器具に関するものである。
【０００２】
【従来の技術】
従来の突き合わせ方式のランプソケットは、ランプの挿入時にランプ口金のランプピンを４本とも導電板と接触する。
【０００３】
一方、従来のランプピンを導電板に挟み込んで接触させる差し込み方式のランプソケットは、ランプピンを差し込みさらにランプを回動操作することによってはじめてランプピンと導電板とが接触する。
【０００４】
【発明が解決しようとする課題】
突き合わせ方式のランプソケットは、電源の接続状態でランプを装着しようとすると、ランプを挿入した状態で装着する前に点灯してしまうため、驚いてランプから手を離したり、ランプ装着が完了したものと誤ってランプから手を離して、ランプを落下させるなどの危険性がある。
【０００５】
また従来の突き合わせ方式および差し込み方式のどらちのランプソケットも、ランプの挿入だけではランプを保持せず、押しながら回動させなければならないので、操作性が悪かった。
【０００６】
したがって、この発明の目的は、ランプを挿入した段階ではランプは点灯せず、かつランプの仮保持ができる安全かつランプ着脱操作性の良いランプソケットおよび照明器具を提供することである。
【０００７】
【課題を解決するための手段】
請求項１記載のランプソケットは、ソケット本体と、このソケット本体内に設けられてランプ口金のランプピンに接触する導電部材を有し、前記ランプピンを前記ソケット本体に挿入しかつ一方向に回動することによって前記ランプ口金が前記ソケット本体に保持されるとともに前記ランプピンが前記導電部材に接触するようにしたランプソケットであって、前記ランプピンを前記ソケット本体に挿入したときに、前記ランプピンの少なくとも１本を仮保持する保持手段を有するとともに少なくとも他の１本が前記導電部材と非接触となるように構成したことを特徴とするものである。
【０００８】
請求項１記載のランプソケットによれば、ランプを挿入した状態で少なくとも１本のランプが保持されかつ少なくとも１本は導電部材と非接触であるため、ランプが点灯しないのでランプから手を離すおそれが少なくなり、仮に手を離しても仮保持状態のためランプの落下を防止でき安全が図れる。またランプピンを挿入しただけでは不点状態のため正規の取付け状態でないことが判断しやすい。
【００１１】
請求項２記載のランプソケットは、請求項１において、前記保持手段がランプ口金の回転軸に対して対称に配置された一対の導電部材である。
【００１２】
請求項２記載のランプソケットによれば、請求項１と同様な効果のほか、２つの導電部材でランプを仮保持するため、導電部材の形状を４つのうち２つを共用できる。
【００１５】
請求項３記載のランプソケットは、請求項２において、前記導電部材が前記ランプピンを挟み込んで保持するものである。
【００１６】
請求項３記載のランプソケットによれば、請求項２と同様な効果がある。
【００１７】
請求項４記載の照明器具は、請求項１または請求項２記載のランプソケットを用いたものである。
【００１８】
請求項４記載の照明器具によれば、請求項１または請求項２と同様な効果がある。
【００１９】
【発明の実施の形態】
この発明の一実施の形態を図１から図６により説明する。すなわち、このランプソケットは、コンパクト形蛍光灯用ソケットの片口金蛍光灯ソケットであり、蛍光灯照明器具などの照明器具に適用される。
【００２０】
このランプソケットは、ソケット本体１と、導電部材２とを有し、図１および図４に示すランプ口金１７のランプピン２３をソケット本体１に挿入したときランプピン２３の少なくとも１本を保持し少なくとも他の１本が導電部材２と非接触となるように構成している。
【００２１】
ソケット本体１は、図６に示すように下端が開口した樹脂製のボディ３と、開口４を塞ぐ樹脂製のカバー５とを有し、導電部材２は速結端子７を一体に設け、ボディ３内に開口４を通して収納され、カバー５により押え固定される。６は係止爪であり、ボディ３に形成した係止孔８に抜止め係止してカバー５をボディ３に固定する。
【００２２】
ボディ３の前面には図１に示すように導電部材２に臨む位置に円弧状の長穴のランプピン挿入穴９を４個円周に沿って並ぶように形成し、また前面の周囲にボディ３の外方に径大に張り出すようにランプ口金１７を収納する周壁１０を形成している。周壁１０の内周面にはランプ口金１７の側部に形成した突起１８を挿入させ回動させて抜止めするＬ字形の溝２２を形成し、この溝２２の内端部２２ａは外部と貫通し、内端部２２ａに突起１８を係止するランプ固定ばね１９を取付けている。２０はソケット本体１の器具本体への取付孔である。
【００２３】
４個の導電部材１５ａ〜１５ｄは、ソケット本体１内に設けられてランプ口金１７のランプピン２３に接触するもので、ランプピン２３をソケット本体１に挿入させかつ一方向に回動することによってランプピン２３をソケット本体１に装着する。実施の形態では、ランプピン２３の挿入時に２本のランプピン２３を保持する。この場合、ランプ口金１７の回転軸に対して対称に配置された一対の導電部材１５ａ、１５ｃが、ランプの挿入時にランプピン２３を保持する。また各導電部材１５ａ〜１５ｄはランプピン２３を挟み込んで保持する構造である。すなわち、導電部材１５ａ〜１５ｄは図１に示すようにランプ口金の回転中心に対して対称な導電部材１５ａ、１５ｃがランプピン２３をランプピン挿入穴９に挿入した時にランプピンを導電部材１５ａ、１５ｃの挟持片（後述）に挟んでこれを保持し、導電部材１５ｂ、１５ｄはランプピン２３と非接触となる関係に構成している。したがってこの状態ではたとえ速結端子７に電源が接続されていてもランプは不点であり、しかも導電部材１５ａ、１５ｃの挟持片に挟まれて仮保持される。つぎにランプ口金を図４の矢印の方向に回動すると、ランプピン２３は位置Ａから位置Ｂに移動し、全てのランプピン２３が導電部材１５ａ〜１５ｄに横方向に挿入され挟持される。図３に示すように、導電部材１５ａ〜１５ｄの構造は、導電板を連続する片１０ａ〜１０ｅでＳ字形に折曲し、片１０ａ、１０ｃより相対向する挟持片１１ａ、１１ｂを延出し、挟持片１１ａ、１１ｂは先端部および一側部を互いに離れる方向に反り曲げてあり、ランプピン２３を挟持片１１ａ、１１ｂの先端部および側部のいずれからも挟持片１１ａ、１１ｂ間に容易に挿入できるようにしている。また片１０ｄの挟持片１１ａ、１１ｂの延出方向と反対側端部に折曲片１２を折曲し、これに電線挿通穴１２ａを形成し、折曲片１２の先端に鎖錠部１３を設けて片１０ｄに接近している。導電部材１５ａ、１５ｃは上記のようにランプピン２３の挿入時に一対の挟持片１１ａ、１１ｂで挟持保持するように配置されている。
【００２４】
図７はこのランプソケットを適用した壁付照明器具である。２５は壁、２６は器具本体、２７はグロープ、２８はこの実施の形態のランプソケット、２９はランプ、３０はパッキンである。
【００２５】
この発明の他の実施の形態を図８により説明する。図８（ａ）は、ランプピンをソケット本体に挿入したとき、導電部材１５ｃのみがランプピン２３を挟持保持し、他の導電部材１５ａ、１５ｂ、１５ｄは非接触であり、ランプを装着完了位置に回動したときこれらも接触する。導電部材１５ｃは第１の実施の形態と同構成であるが、その他の導電部材１５ａ、１５ｂ、１５ｄはランプピンの回動方向の側面に接触する平板により形成している。
【００２６】
図８（ｂ）はランプピン２３をソケット本体に挿入したとき、導電部材１５ｃがランプピンを保持し、導電部材１５ａが接触し、他の導電部材１５ｂ、１５ｄは非接触である。導電部材１５ｃは第１の実施の形態と同構成であり、導電部材１５ａ、１５ｂ、１５ｃは挟持片の片方のみを配置し、導電部材１５ａはランプピン２３を挿入したときにランプピン２３の回動時の外周側に接触し、導電部材１５ｂ、１５ｃはランプピン２３を回動したときに回動途中から回動の外周側に接触するようにしている。
【００２８】
図８（ｃ）は導電部材１５ａ〜１５ｄをすべて一対の挟持片１１ａ、１１ｂで構成しているが、挟持片１１ａ、１１ｂの幅寸法が大きい順から導電部材１５ｃ、１５ｄ、１５ａ、１５ｂの順序で小さくなる構成であり、ランプピン２３の挿入時にランプピン２３を導電部材１５ｃとランプピン挿入穴９の縁部との間に挾んで接触状態に保持し、ランプピン２３を回動するにつれて順次導電部材１５ｄ、１５ａ、１５ｂに接触しかつ挟持される。すなわち、ランプの挿入時にランプピン２３を保持する導電部材１５ｃ、およびランプの回動操作によりランプピン２３と接触する導電部材１５ａ、１５ｂ、１５ｄはランプピン２３と接触する位置が異なる。なおこの実施の形態では４種類とも接触位置が相違しているが、２種類以上相違していればよい。
【００３０】
【発明の効果】
請求項１記載のランプソケットによれば、ランプを挿入した状態で少なくとも１本のランプが保持されかつ少なくとも１本は導電部材と非接触であるため、ランプが点灯しないのでランプから手を離すおそれが少なくなり、仮に手を離しても仮保持状態のためランプの落下を防止でき安全が図れる。またランプピンを挿入しただけでは不点状態のため正規の取付け状態でないことが判断しやすい。
【００３２】
請求項２記載のランプソケットによれば、請求項１と同様な効果のほか、２つの導電部材でランプを仮保持するため、導電部材の形状を４つのうち２つを共用できる。
【００３４】
請求項３記載のランプソケットによれば、請求項２と同様な効果がある。
【００３５】
請求項４記載の照明器具によれば、請求項１、請求項２または請求項３と同様な効果がある。
【図面の簡単な説明】
【図１】この発明の一実施の形態の平面図である。
【図２】カバーを開いた状態の底面図である。
【図３】導電部材の斜視図である。
【図４】ランプピン挿入穴にランプピンを挿入し回転した状態の平面図である。
【図５】ランプソケットに装着したランプの斜視図である。
【図６】ランプソケットの分解斜視図である。
【図７】壁付照明器具のグローブおよびランプを装着前の状態の斜視図である。
【図８】別の実施の形態のランプピンと導電部材の関係を示す部分図である。
【符号の説明】
１    ソケット本体
２    導電部材
１５ａ〜１５ｄ    各導電部材
７    速結端子
９    ランプピン挿入穴
１１ａ、１１ｂ    挟持片
２３    ランプピン
【図１】
0004488587.tif 000002
【図２】
0004488587.tif 000003
【図３】
0004488587.tif 000004
【図４】
0004488587.tif 000005
【図５】
0004488587.tif 000006
【図６】
0004488587.tif 000007
【図７】
0004488587.tif 000008
【図８】
0004488587.tif 000009